(57)【特許請求の範囲】
【請求項１】
内視鏡の処置具挿通チャンネルに挿脱されるシース内に軸線方向に進退自在に操作ワイヤを挿通配置して、弾性ワイヤによってかご状に形成されたバスケットを上記操作ワイヤの先端に連結し、上記シースの基端に連結された操作部において上記操作ワイヤを軸線方向に進退操作することにより上記バスケットが上記シースの先端内に出入りして、上記バスケットが上記シース外では自己の弾性によってかご状に膨らみ、上記シース内に引き込まれることによって窄まるようにした内視鏡用バスケット型回収具において、
上記操作ワイヤに対して牽引力を付与する付勢手段が上記操作部に設けられて、上記バスケットの中間部分が上記シース内に引き込まれるまでは上記付勢手段から上記操作ワイヤに対して上記バスケットを上記シース内に引き込む方向に牽引力が付与され、上記バスケットが上記中間部分より先端寄りの部分まで上記シース内に引き込まれた状態では、上記付勢手段から上記操作ワイヤに牽引力が作用しないようにしたことを特徴とする内視鏡用バスケット型回収具。
【請求項２】
上記付勢手段が圧縮コイルスプリングである請求項１記載の内視鏡用バスケット型回収具。
【請求項３】
上記操作部には、上記操作ワイヤの基端が連結されたワイヤ駆動片がスライド自在に設けられて、上記バスケットの中間部分が上記シース内に引き込まれるまでは上記圧縮コイルスプリングが圧縮された状態で上記ワイヤ駆動片に当接し、上記バスケットが上記中間部分より先端寄りの部分まで上記シース内に引き込まれた状態では、上記圧縮コイルスプリングが伸びきって上記ワイヤ駆動片が上記圧縮コイルスプリングから離れた状態になる請求項２記載の内視鏡用バスケット型回収具。
【請求項４】
上記操作部が、上記操作ワイヤ及び上記バスケットと共に上記シースに対して着脱自在である請求項１、２又は３記載の内視鏡用バスケット型回収具。
【発明の詳細な説明】
【０００１】
【発明の属する技術分野】
この発明は、内視鏡の処置具挿通チャンネルに挿脱されて体腔内から異物等を回収するために用いられる内視鏡用バスケット型回収具に関する。
【０００２】
【従来の技術】
内視鏡用バスケット型回収具は一般に、内視鏡の処置具挿通チャンネルに挿脱されるシース内に軸線方向に進退自在に操作ワイヤが挿通配置され、弾性ワイヤによってかご状に形成されたバスケットが操作ワイヤの先端に連結されている。
【０００３】
そして、シースの基端に連結された操作部において操作ワイヤを軸線方向に進退操作することによりバスケットがシースの先端内に出入りして、バスケットがシース外では自己の弾性によってかご状に膨らみ、シース内に引き込まれることによって窄まるようになっている。
【０００４】
【発明が解決しようとする課題】
体腔内から異物を回収する際には、一個だけでなく複数の異物を回収しなければならない場合が少なくない。例えば、多発性のポリープの場合には、まず高周波スネアで順にポリープを切除した後、腸内に落ちている複数のポリープを回収することになる。
【０００５】
そのような場合に内視鏡用バスケット型回収具が用いられることになるが、異物を一個ずつ回収していたのでは相当の手間と時間がかかることになるので、バスケットに異物を何個かまとめて捕獲、回収するのが望ましい。
【０００６】
しかし、バスケットに異物を収容してから、次の異物を内視鏡視野の中央に捕らえるためには、内視鏡の押し引きや湾曲操作等を行わなければならないので、その間は回収具を操作することができず、操作ワイヤの牽引状態が緩んでバスケットから異物が外れて落下してしまう場合が少なくなかった。
【０００７】
また、異物として比較的柔らかい生体組織等を回収する際に、バスケットを引き込む操作ワイヤの牽引力が大きすぎると、回収した組織がちぎれてしまう場合があった。
【０００８】
そこで本発明は、何の操作もしていない間はバスケット内に収容された異物が外れないようにして、複数の異物を順に捕獲、回収することができ、さらに、バスケットに収容された異物にバスケットから過度な力が加わらない内視鏡用バスケット型回収具を提供することを目的とする。
【０００９】
【課題を解決するための手段】
上記の目的を達成するため、本発明の内視鏡用バスケット型回収具は、内視鏡の処置具挿通チャンネルに挿脱されるシース内に軸線方向に進退自在に操作ワイヤを挿通配置して、弾性ワイヤによってかご状に形成されたバスケットを上記操作ワイヤの先端に連結し、上記シースの基端に連結された操作部において上記操作ワイヤを軸線方向に進退操作することにより上記バスケットが上記シースの先端内に出入りして、上記バスケットが上記シース外では自己の弾性によってかご状に膨らみ、上記シース内に引き込まれることによって窄まるようにした内視鏡用バスケット型回収具において、上記操作ワイヤに対して牽引力を付与する付勢手段を上記操作部に設け、上記操作部に操作力が加えられていない状態のときに、上記バスケットが上記シース内に引き込まれる方向に上記操作ワイヤが牽引されるようにしたことを特徴とする。
【００１０】
なお、上記バスケットの中間部分が上記シース内に引き込まれる位置まで、上記付勢手段から上記操作ワイヤに対して牽引力が付与されるようにしてもよく、或いは、上記バスケットが完全に上記シース内に引き込まれる位置まで、上記付勢手段から上記操作ワイヤに対して牽引力が付与されるようにしてもよい。
【００１１】
そして、上記付勢手段が圧縮コイルスプリングであってもよく、上記操作部が、上記操作ワイヤ及び上記バスケットと共に上記シースに対して着脱自在であってもよい。
【００１２】
【発明の実施の形態】
図１は、本発明の第１の参考例の内視鏡用バスケット型回収具を示しており、内視鏡の処置具挿通チャンネルに挿脱される可撓性のシース１は、四フッ化エチレン樹脂チューブ等によって形成されている。
【００１３】
シース１内には、軸線方向に進退自在に操作ワイヤ２が挿通配置されていて、例えば４本の弾性ワイヤによってかご状に形成されたバスケット３が、操作ワイヤ２の先端に連結されている。４はその連結パイプ、５は、バスケット３の先端を結束する先端チップである。
【００１４】
その結果、操作ワイヤ２を手元側から軸線方向に進退操作することによりバスケット３がシース１の先端内に出入りして、バスケット３がシース１外では自己の弾性によってかご状に膨らみ、シース１内に引き込まれることによって窄まる。
【００１５】
シース１の手元側端部には、操作ワイヤ２を進退操作するための操作部１０が連結されている。１１は、筒状に形成された操作部本体であり、シース１の基端が接合固着されている。
【００１６】
操作ワイヤ２の基端に連結された駆動ロッド１２は操作部本体１１から手元側に突出しており、その手元側端部には押しボタン１３が取り付けられている。また、駆動ロッド１２が貫通するように配置された円盤状の指当て１４が、螺旋結合によって操作部本体１１の基端部に着脱自在に係合している。
【００１７】
押しボタン１３と指当て１４との間には、圧縮コイルスプリング１５（付勢手段）が圧縮された状態で挟着されていて、駆動ロッド１２を操作部本体１１内から引き出す方向に付勢している。
【００１８】
ただし、図１に示されるように、駆動ロッド１２の途中に形成された段部１６が指当て１４に当接すると、それがストッパになって駆動ロッド１２はそれ以上引き出されない。そのときバスケット３は、シース１内に完全に収納された状態になる。
【００１９】
このように構成された内視鏡用バスケット型回収具は、図２に示されるように、圧縮コイルスプリング１５の付勢力に抗して押しボタン１３を押し込むことにより、バスケット３がシース１の先端から押し出されて膨らんで、ポリープ等の異物を捕獲する状態になり、シース１を押し込む操作を止めれば、圧縮コイルスプリング１５の付勢力によって、バスケット３がシース１内に収納される位置まで操作ワイヤ２が牽引される。
【００２０】
バスケット３内に異物を捕獲してから次の異物を捕獲する準備中の間は、図３に示されるように、内視鏡５０の処置具挿通チャンネル５１にシース１を通したまま、バスケット３内に異物１００を捕獲した状態で内視鏡５０の誘導操作が行われる。
【００２１】
したがって、操作部１０に対する操作は何ら行われない状態になるが、駆動ロッド１２によって操作ワイヤ２が手元側へ引っ張れた状態になっているので、内部に異物１００を捕獲したバスケット３が閉じ方向に締め付けられている。
【００２２】
したがって、内視鏡５０の誘導操作が行われている間にバスケット３から異物１００が脱落せず、複数の異物１００をバスケット３内に次々に捕獲することができる。
【００２３】
なお、使用後は、操作部本体１１と指当て１４との係合を解くことにより、操作ワイヤ２とバスケット３をシース１内から引き出して、各々を洗浄消毒することができる。操作部本体１１の基端口元は、洗浄液等を入れた注射筒を接続するのに都合のよいテーパ状に形成されている。
【００２４】
図４及び図５は、本発明の第２の参考例の内視鏡用バスケット型回収具を示しており、図４は、バスケット３が膨らんだ状態を示し、図５は、バスケット３がシース１内に収納されて窄まった状態を示している。なお、図５においては先端部分だけを拡大して示してある。
【００２５】
この参考例においては、バスケット３の先端を結束する先端チップ５がシース１内に引き込まれない太さに形成されている。したがって、何らの操作力が加えられない状態のときは、図５に示されるように、先端チップ５の後端がシース１の先端に当接した状態になる。
【００２６】
また、操作部２０は、シース１が連結された操作部本体２１の手元側端部に環状の第１の指掛けが形成され、操作部本体２１に形成されたスリ割り２３内でスライドするワイヤ駆動片２４の両端に、一対の環状部からなる第２の指掛け２５が形成されている。
【００２７】
操作ワイヤ２の基端はワイヤ駆動片２４に連結されており、スリ割り２３内に配置された圧縮コイルスプリング２６によって常に手元側に向けて付勢されている。このように、本発明において操作部は各種の形状をとることができる。
【００２８】
図６及び図７は、本発明の実施の形態の内視鏡用バスケット型回収具を示しており、図６は、バスケット３内に異物１００が収容された状態で外力が加えられていない状態を示し、図７は、操作者が操作力を加えて操作ワイヤ２を牽引し、バスケット３がシース１内に完全に収納された状態を示している。
【００２９】
この実施の形態においては、図６に示されるように、バスケット３の中間部分がシース１内に収容される位置までしか圧縮コイルスプリング２６から操作ワイヤ２に対して牽引力が作用しない。
【００３０】
したがって、バスケット３内に収容された異物１００に対してバスケット３から過度な締め付け力が加わらず、異物１００が柔らかいものであってもちぎれるのを防止することができる。
【００３１】
【発明の効果】
本発明によれば、操作ワイヤに対して牽引力を付与する付勢手段を操作部に設け、操作部に操作力が加えられていない状態のときに、バスケットがシース内に引き込まれる方向に操作ワイヤが牽引されるようにしたことにより、何の操作もしていない状態では、バスケットが閉じ方向に締め付けられるので、バスケット内に収容された異物を落とすことなく、複数の異物を順に捕獲、回収することができる。
【００３２】
また、付勢手段から操作ワイヤに対して、バスケットの中間部分がシース内に引き込まれる位置まで牽引力が付与されるようにすれば、バスケット内に収容された異物に対してバスケットから過度な力が加わらず、柔らかい異物等がちぎれるのを防止することができる。
【図面の簡単な説明】
【図１】  本発明の第１の参考例の内視鏡用バスケット型回収具の操作ワイヤが牽引された状態の側面断面図である。
【図２】  本発明の第１の参考例の内視鏡用バスケット型回収具の操作ワイヤが押し出された状態を一部断面で示す側面図である。
【図３】  本発明の第１の参考例の内視鏡用バスケット型回収具の使用状態を一部断面で示す側面図である。
【図４】  本発明の第２の参考例の内視鏡用バスケット型回収具の操作ワイヤが押し出された状態を一部断面で示す側面図である。
【図５】  本発明の第２の参考例の内視鏡用バスケット型回収具の操作ワイヤが牽引された状態の側面断面図である。
【図６】  本発明の実施の形態の内視鏡用バスケット型回収具の操作ワイヤが中間まで牽引された状態を一部断面で示す側面図である。
【図７】  本発明の実施の形態の内視鏡用バスケット型回収具の操作ワイヤが完全に牽引された状態を一部断面で示す側面図である。
【符号の説明】
１  シース
２  操作ワイヤ
３  バスケット
１０，２０  操作部
１５，２６  圧縮コイルスプリング
【図１】
0004105313.tif 000002
【図２】
0004105313.tif 000003
【図３】
0004105313.tif 000004
【図４】
0004105313.tif 000005
【図５】
0004105313.tif 000006
【図６】
0004105313.tif 000007
【図７】
0004105313.tif 000008